(57)【要約】      （修正有）【課題】淡い芳香が変化することなく長期間に渡って放散される実用的なペンダントを提供する。【解決手段】本考案のペンダントは、装飾体１の下部に香水を収納した香水容器５が針金状の連結部材４で連結されている。香水容器５は上部に連結部材４が微小な隙間を有して挿嵌する連結孔５ｃが設けられた蓋５ａを備えている。そして、この微小な隙間を利用して外部へ芳香を放散する。【選択図】図２
0003108418.tif 000002
【実用新案登録請求の範囲】
【請求項１】
装飾体の下部に香水を収納した香水容器を針金状の連結部材で連結したペンダントであって、該香水容器は上部に該連結部材が微小な隙間を有して挿嵌する連結孔を設けた蓋を備え、該微小な隙間を利用して外部へ芳香を放散するようにしたことを特徴とするペンダント。
【請求項２】
前記香水容器の蓋は可塑性のものとし、前記連結部材は、断面を楕円形や多角形など非円形としたことを特徴とする請求項１記載のペンダント。
【請求項３】
前記香水容器は、底を有する筒状のガラス製で香水の試供品用であることを特徴とする請求項１または請求項２記載のペンダント。
【考案の詳細な説明】
【技術分野】
【０００１】
本考案は、装飾品であるペンダントに係わり、特に香水を備えたペンダントに関するものである。
【背景技術】
【０００２】
香水は、種類が多く、好みに合致する香りのものを選択することは容易ではない。このため、小さな容器に香水を収納した試供品を利用して選択することが多く行われている。
香水は、通常、肌、下着、衣服等に直接着けて使用されている。香りは時間の経過によってトップノート、ミドルノート（ハートノート）、ラストノートと変化し、いつまでも香りが持続しないので、アトマイザー（香水を小分けして収納した容器）を携帯して、必要に応じて着けている。
【０００３】
一方、香水をペンダントやイヤリングなどの装身具に収納し、小さな通気孔から香りを長時間平均して放散させるようにしたものがある（例えば、特許文献１参照。）。
また、香水を固形状にした練り香水をペンダント内に収容し、使用時は、口紅のように押し出し、直接肌に塗布するようにしたものもある（例えば、特許文献２参照。）。
特許文献１のペンダントの実施例では、図５に示すように、装飾体１１を容器状として香水を収納し、通気孔１３を有する開閉蓋１２を設けている。
【０００４】
【特許文献１】実開昭６２−１９６０１７号  公報
【特許文献２】実公平５−２３０４６号  公報。
【考案の開示】
【考案が解決しようとする課題】
【０００５】
上記のように、香水は、肌、下着、衣服等に直接着けて用いると、着け始めは香りが強すぎになりがちであり、しかも、本人はこれを自覚しがたいという問題がある。そこで、例えば、特許文献１に示すようにペンダントに香水を収納したものを使用すれば、同じ香りを相当時間持続させることができる。
【０００６】
しかし、このペンダントにおいては、通気孔を微細なものとすることは加工上限界があり、淡い芳香を放散するものは得られない。また、ペンダントを香水が収納できるようにするため構造が複雑になり、形状も限定され、極めて、高価なものとなってしまうという欠点がある。さらに、ペンダントに一旦香水を収納すると、洗浄してもペンダントから完全に香りを消し去ることはできないので、別の香水に変えることができないという欠点もある。
【０００７】
本考案は、淡い芳香が変化することなく長期間に渡って放散される実用的なペンダントを提供することを目的としている。
【課題を解決するための手段】
【０００８】
本考案のペンダントは、上記の目的を達成するため次の手段を採った。すなわち、装飾体の下部に香水を収納した香水容器を針金状の連結部材で連結したペンダントであって、該香水容器は上部に該連結部材が微小な隙間を有して挿嵌する連結孔を設けた蓋を備え、該微小な隙間を利用して外部へ芳香を放散するようにしたことを特徴としている。
【０００９】
装飾体の形状、材質およびデザインは特に限定しない。例えば、球状、星形、ハート形など、形状はどんなものでもよく、材質は宝石、ガラス、金属など任意である。また、既にペンダントとして使用されているものを利用してもよい。
【００１０】
香水容器の形状、材質および大きさも特に限定しない。装飾体に連結した状態でのデザインを配慮すればよい。なお、香水容器は、請求項３に示すように、底を有する筒状のガラス製で香水の試供品用として利用されているものを使用すると簡便である。
【００１１】
装飾体と香水容器との連結は針金状の連結部材を香水容器の蓋に形成した連結孔に挿通することによっている。連結部材は例えば鋼線を使用し、一端は装飾体に係止し、他端を香水容器の蓋の連結孔に挿通し、折り曲げるなどして係止する。
【００１２】
連結部材の連結孔との嵌合は微小な隙間を有するように構成する。微小な隙間は、連結孔に対して連結部材の径を僅かに小さくすることによって形成する。また、要求される香りの程度など必要により、請求項２に記載のように、香水容器の蓋を合成樹脂や硬質ゴムなど可塑性のものとして、連結部材の断面を楕円形や多角形など非円形にし適宜な隙間としてもよい。
【考案の効果】
【００１３】
本考案のペンダントは、上記のように、装飾体の下部に連結孔を有する蓋を備えた香水容器を針金状の連結部材で微小な隙間を有して連結したので、香水が微小な隙間から僅かずつ外部へ発散し、従来の香水を備え通気孔を有するペンダントに比べ、淡い芳香を変化することなく長期間に渡って放散させうる。
【００１４】
さらに、請求項２に記載のように、香水容器の蓋を可塑性のものとし、連結部材の断面を楕円形や多角形など非円形にすれば、所望の微小な隙間を得ることができ、香りの強さを適宜に変えることができる。
また、装飾体は従来のペンダントのように容器と一体に構成していないので、構造が簡素で、既存のものをそのまま使用することもできる。また、香水容器を別の香水が収納されたものに取り替えることも容易にできる。
【００１５】
また、香水容器を、請求項３に示すように、従来使用されている底を有する筒状のガラス製の試供品用を利用すれば、簡便かつ経済的に製造でき、これを香水の試供品として提供することもできる。そのほか、香水容器の蓋を外して肌、下着、衣服等に直接着けること、すなわち、アトマイザーとしても使用でき、さらには、男性用の場合は、ネクタイの裏面に係止したり、ワイシャツのポケットに入れるなどして使用することもでき、従来のものに比べ香水の利用範囲が広い。
【考案を実施するための最良の形態】
【００１６】
本考案の実施の形態を、添付図面に示した本考案の実施例に基づいて以下に具体的に説明する。
【実施例】
【００１７】
本考案のペンダントの実施例を、図１〜図４に基づいて説明する。
本考案のペンダントは、装飾体の下部に連結孔を有する蓋を備えた香水容器を針金状の連結部材で微小な隙間を有して連結したものであるが、この実施例では、装飾体は、図１に示すように、主装飾体１と副装飾体２，３からなるものを用い、香水容器は香水メーカが提供する試供品用を利用したもので説明する。
【００１８】
副装飾体２，３は主装飾体１の上と下に配置し、副装飾体３の下部に香水容器５を連結部材４によって直列に連結している。そして、連結部材４の上部には首紐６が連結されている。
主装飾体１は、例えば、真珠など球状のものとし、また、副装飾体２，３は、主装飾体１より小さなもので、ダイヤカットされた石を使用している。そして、主装飾体１および副装飾体２，３の中央部には連結部材４が挿通する貫通孔が形成されている。
香水容器５は、香水が収納された５ｃｍ程度の底を有する筒状の透明なガラス製（ここではホウケイ酸ガラスを使用している）の容器体５ｂと、上部に連結孔５ｃを備えた蓋５ａとから構成されている。
【００１９】
連結部材４は、径が１ｍｍ程度の断面円形である針金状の鋼線であり、頭部４ａがリング状に曲げられている。そして、副装飾体２、主装飾体１および副装飾体３の貫通孔、さらに、香水容器５の蓋５ａの連結孔５ｃを挿嵌し、下端部４ｂは折り曲げて蓋５ａの下面に係止している（図２参照）。なお、下端部４ｂは頭部４ａのようにリング状に曲げてもよい。
連結部材４の径は連結孔５ｃの径より僅かに小さくしており、ここに微小な隙間を形成させている。
また、首紐６は、ほぼ中央部で折り曲げて止金６ｂで固定し、先端に連結部材４の頭部４ａに連結したリング６ａが設けられている。そして他端側は、繋ぎ金具７が固設されている。
【００２０】
このように構成されているので、香水容器５が振られたりして連結部材４の後端部４ｂに付着した香水が毛管現象によって連結部材４を伝わり、微小な隙間から僅かずつ外部へ発散し、淡い芳香を放散させる。
【００２１】
連結部材４と連結孔５ｃとの微小な隙間は、連結部材４を非円形として形成することもできる。例えば、ヤスリで外周の一部を軸方向に削って非円形としてもよいし、叩くなどして断面を楕円状などに変形させてもよい。また、図３（図２のＡ−Ａ視図）に示すように、連結部材４を断面八角形の鋼線を使用したり、図４に示すように、外周の長手方向に凹溝４ｃを複数本形成させてもよい。これらは、連結孔５ｃとの微小な隙間をどの程度にするかによって適宜選定すればよい。
【００２２】
本考案による実施例のペンダントは、上記のように構成されているので、長時間にわたって淡い芳香を放散する。香水を使い切ったときは、容器体５ｂを外し、香水が収納された香水容器５の容器体５ｂと交換するか、専用スポイドなどで容器体５ｂに香水を注入すればよい。
【図面の簡単な説明】
【００２３】
【図１】本考案の実施例のペンダントの全体を示す正面図である。
【図２】同  要部の断面図である。
【図３】図２のＡ−Ａ視断面図である。
【図４】連結部材の別の例を示す断面図である。
【図５】従来の香水を備えたペンダントの一例を示す斜視図である。
【符号の説明】
【００２４】
１…主装飾体          ２，３…副装飾体
４…連結部材          ４ａ…頭部
４ｂ…下端部          ４ｃ…凹溝
５…香水容器          ５ａ…蓋
５ｂ…容器体          ５ｃ…連結孔
６…首紐              ６ａ…リング
６ｂ…止金            ７…繋ぎ金具
１１…装飾体          １２…開閉蓋
１３…通気孔
【図１】
0003108418.tif 000003
【図２】
0003108418.tif 000004
【図３】
0003108418.tif 000005
【図４】
0003108418.tif 000006
【図５】
0003108418.tif 000007